(57)【要約】      （修正有）【課題】弾性体の作用によってアコーディオンドア本体が自動的に閉鎖可能となったアコーディオンドアにおいて、完全に閉鎖されていない途中状態でアコーディオンドア本体を停止させることができるようにする。【解決手段】カム誘導路６２は、アコーディオンドア本体が所定量以上開放方向に操作された後に、弾性体の作用によってアコーディオンドア本体が閉鎖方向に動作すると、スライダー６４のカム誘導路６２での摺動を規制する規制溝６２ｄと、アコーディオンドア本体が所定量未満開放方向に操作された後に、弾性体の作用によってアコーディオンドア本体が閉鎖状態に動作すると、スライダー６４のカム誘導路６２での摺動を継続させる外周回溝６２ａと、を有する。【選択図】図６
2010019034.tif 000002
【特許請求の範囲】
【請求項１】
伸縮可能なヒンジ（２０）の前後に化粧被覆材（２２）を配置することによってアコーディオンドア本体（１４）が形成され、アコーディオンドア本体が、レール（１０）内を走行可能となったランナー（１２）によって吊り下げ支持され、ランナーにレール内を走行させることによって開閉自在となっており、アコーディオンドア本体内に設けた弾性体（３４）の作用によって、アコーディオンドアが自動的に閉鎖可能であり、アコーディオンドア本体内には、アコーディオンドア本体を弾性体の付勢力に抗して開放状態に保持可能なリールストッパー（４０）が設けられ、リールストッパーは、アコーディオンドア本体内で固定されるストッパーケース（４２）と、ストッパーケースに回転可能に支持されるコードリール（４６）と、一端がコードリールに巻取可能に固着されるとともに他端はアコーディオンドア本体の可動側端部（１８）に固着されるコード（５０）と、コードリールのコード巻取方向の回転を付勢する付勢手段（４８）と、を有し、アコーディオンドア本体（１４）が閉鎖方向に動作したときには、コードがコードリールから引き出され、アコーディオンドア本体が開放方向に動作したときには、コードはコードリールに巻き取られるようになったアコーディオンドアにおいて、
前記リールストッパー（４０）には、コード引き出し規制手段（６０、７０）が設けられ、コード引き出し規制手段は、アコーディオンドア本体（１４）が所定量以上開放方向に操作された後に、弾性体（３４）の作用によってアコーディオンドア本体が閉鎖方向に動作すると、コードリール（４６）のコード引出方向の回転を規制して、アコーディオンドア本体の移動を停止させる一方で、アコーディオンドア本体が所定量未満開放方向に操作された後に、弾性体（３４）の作用によってアコーディオンドア本体が閉鎖状態に動作すると、コードリール（４６）のコード引出方向の回転を許容して、弾性体（３４）の作用によるアコーディオンドア本体の閉鎖方向への動作を許容することを特徴とするアコーディオンドア。
【請求項２】
前記コード引き出し規制手段は、リールストッパーに設けられるカムクラッチ（６０、７０）を有し、カムクラッチ（６２、７２）は、カム誘導路と、カム誘導路に沿って摺動可能なスライダー（６４、７４）とを有し、カム誘導路とスライダーのいずれか一方が前記コードリール（４６）と一体回転するようになっており、カム誘導路は、アコーディオンドア本体（１４）が所定量以上開放方向に操作された後に、弾性体（３４）の作用によってアコーディオンドア本体が閉鎖方向に動作すると、スライダーのカム誘導路での摺動を規制する規制部（６２ｄ、７２ｄ）と、アコーディオンドア本体が所定量未満開放方向に操作された後に、弾性体の作用によってアコーディオンドア本体が閉鎖状態に動作すると、スライダーのカム誘導路での摺動を継続させる周回部（６２ａ、７２ａ）と、を有することを特徴とする請求項１記載のアコーディオンドア。
【請求項３】
前記カム誘導路（６２、７２）は、アコーディオンドア本体（１４）が所定量以上開放方向に操作されるときに、前記周回部とは異なる誘導路にスライダー（６４、７４）を誘導する移行部（６２ｃ、７２ｂ）をさらに有することを特徴とする請求項２記載のアコーディオンドア。
【請求項４】
前記カム誘導路（６２）は、アコーディオンドア本体（１４）が所定量以上開放方向に操作されるときに、スライダーのカム誘導路での摺動を継続させる第２周回部（６２ｂ）をさらに有し、前記移行部（６２ｃ）は、アコーディオンドア本体が所定量以上開放方向に操作されるときに、周回部（６２ａ）から第２周回部（６２ｂ）へとスライダーを誘導し、アコーディオンドア本体が所定量以上開放方向に操作された後に、弾性体（３４）の作用によってアコーディオンドア本体が閉鎖方向に動作すると、スライダー（６４）が第２周回部（６２ｂ）から前記規制部（６２ｄ）へと移動することを特徴とする請求項３記載のアコーディオンドア。
【請求項５】
前記カム誘導路（６２）はコードリール（４６）に形成され、スライダー（６４）はストッパーケース（４２）に所定範囲で摺動可能に保持されることを特徴とする請求項４記載のアコーディオンドア。
【請求項６】
前記カム誘導路（７２）は、アコーディオンドア本体が所定量以上開放方向に操作されるときに、スライダー（７４）のカム誘導路での摺動を規制する係止部（７２ｃ）をさらに有し、前記移行部（７２ｂ）は、アコーディオンドア本体（１４）が所定量以上開放方向に操作されるときに、周回部（７２ａ）から係止部（７２ｃ）へとスライダーを誘導し、アコーディオンドア本体が所定量以上開放方向に操作された後に、弾性体の作用によってアコーディオンドア本体が閉鎖方向に動作すると、スライダーは係止部（７２ｃ）から前記規制部（７２ｄ）へと移動し、
前記カムクラッチ（７０）は、スライダー（７４）が係止部（７２ｃ）にあるときに、スライダーとカム誘導路（７２）が一緒に回転することを許容する一方向クラッチ部（８０）をさらに有することを特徴とする請求項３記載のアコーディオンドア。
【請求項７】
前記カム誘導路（７２）は、コードリール（４６）と一体回転可能となったカムドラム（７１）の周面に形成され、スライダー（７４）は、カムドラム（７１）の外周側に配設されてカムドラムに対して相対回転自在となったハウジングに所定範囲で摺動可能に保持されており、ハウジングには、前記一方向クラッチ部（８０）と係合可能な係合部（７８）が形成されることを特徴とする請求項６記載のアコーディオンドア。
【請求項８】
前記一方向クラッチ部（８０）は、ストッパーケース（４２）に揺動可能に軸支されるレバー（８２）であり、レバーは、ハウジング（７６）がコードリール（４６）によるコード巻取方向へ回転するときには、回転を許容するが、ハウジングがコードリールによるコード引出方向へ回転するときには、回転を規制することを特徴とする請求項７記載のアコーディオンドア。
【請求項９】
前記係合部（７８）は、レバー（８２）と係合可能な複数の凹溝であることを特徴とする請求項８記載のアコーディオンドア。
【発明の詳細な説明】
【技術分野】
【０００１】
本発明は、アコーディオンドアに関し、アコーディオンドア本体内に設けた弾性体の作用によって、アコーディオンドア本体が自動的に閉鎖可能となったアコーディオンドアに関する。
【背景技術】
【０００２】
従来のこの種のアコーディオンドアとして、特許文献１に記載されるものが知られている。このアコーディオンドアにおいては、ヒンジの少なくとも１つの菱形形状部の４頂点のうちの２つの対向する頂点同士を互いに接近させる方向へと付勢する弾性体が設けられており、この弾性体がヒンジを伸長または伸縮させる方向へと付勢することにより、ヒンジが自動的に伸長または収縮してアコーディオンドアを閉鎖方向または開放方向に移動可能となっている。
【０００３】
【特許文献１】特開２００２−３３９６６５号公報
【発明の開示】
【発明が解決しようとする課題】
【０００４】
しかしながら、このような弾性体の作用によってアコーディオンドア本体が自動的に閉鎖可能となった従来のアコーディオンドアにおいて、開放状態と閉鎖状態との間の途中状態でアコーディオンドア本体を停止させたい場合があっても、そのような停止状態を保持することはできないという問題がある。
【０００５】
本発明はかかる課題に鑑みなされたもので、その目的は、弾性体の作用によってアコーディオンドア本体が自動的に閉鎖可能となったアコーディオンドアにおいて、開放状態と閉鎖状態との間の途中状態でアコーディオンドア本体を停止させることができるアコーディオンドアを提供することをその目的とする。
【課題を解決するための手段】
【０００６】
前述した目的を達成するために、請求項１記載の発明は、伸縮可能なヒンジの前後に化粧被覆材を配置することによってアコーディオンドア本体が形成され、アコーディオンドア本体が、レール内を走行可能となったランナーによって吊り下げ支持され、ランナーにレール内を走行させることによって開閉自在となっており、アコーディオンドア本体内に設けた弾性体の作用によって、アコーディオンドアが自動的に閉鎖可能であり、アコーディオンドア本体内には、アコーディオンドア本体を弾性体の付勢力に抗して開放状態に保持可能なリールストッパーが設けられ、リールストッパーは、アコーディオンドア本体内で固定されるストッパーケースと、ストッパーケースに回転可能に支持されるコードリールと、一端がコードリールに巻取可能に固着されるとともに他端はアコーディオンドア本体の可動側端部に固着されるコードと、コードリールのコード巻取方向の回転を付勢する付勢手段と、を有し、アコーディオンドア本体が閉鎖方向に動作したときには、コードがコードリールから引き出され、アコーディオンドア本体が開放方向に動作したときには、コードはコードリールに巻き取られるようになったアコーディオンドアにおいて、
前記リールストッパーには、コード引き出し規制手段が設けられ、コード引き出し規制手段は、アコーディオンドア本体が所定量以上開放方向に操作された後に、弾性体の作用によってアコーディオンドア本体が閉鎖方向に動作すると、コードリールのコード引出方向の回転を規制して、アコーディオンドア本体の移動を停止させる一方で、アコーディオンドア本体が所定量未満開放方向に操作された後に、弾性体の作用によってアコーディオンドア本体が閉鎖状態に動作すると、コードリールのコード引出方向の回転を許容して、弾性体の作用によるアコーディオンドア本体の閉鎖方向への動作を許容することを特徴とする。
【０００７】
請求項２記載の発明は、請求項１記載のものにおいて、前記コード引き出し規制手段は、リールストッパーに設けられるカムクラッチを有し、カムクラッチは、カム誘導路と、カム誘導路に沿って摺動可能なスライダーとを有し、カム誘導路とスライダーのいずれか一方が前記コードリールと一体回転するようになっており、カム誘導路は、アコーディオンドア本体が所定量以上開放方向に操作された後に、弾性体の作用によってアコーディオンドア本体が閉鎖方向に動作すると、スライダーのカム誘導路での摺動を規制する規制部と、アコーディオンドア本体が所定量未満開放方向に操作された後に、弾性体の作用によってアコーディオンドア本体が閉鎖状態に動作すると、スライダーのカム誘導路での摺動を継続させる周回部と、を有することを特徴とする。
【０００８】
請求項３記載の発明は、請求項２記載のものにおいて、前記カム誘導路は、アコーディオンドア本体が所定量以上開放方向に操作されるときに、前記周回部とは異なる誘導路にスライダーを誘導する移行部をさらに有することを特徴とする。
【０００９】
請求項４記載の発明は、請求項３記載のものにおいて、前記カム誘導路は、アコーディオンドア本体が所定量以上開放方向に操作されるときに、スライダーのカム誘導路での摺動を継続させる第２周回部をさらに有し、前記移行部は、アコーディオンドア本体が所定量以上開放方向に操作されるときに、周回部から第２周回部へとスライダーを誘導し、アコーディオンドア本体が所定量以上開放方向に操作された後に、弾性体の作用によってアコーディオンドア本体が閉鎖方向に動作すると、スライダーが第２周回部から前記規制部へと移動することを特徴とする。
【００１０】
請求項５記載の発明は、請求項４記載のものにおいて、前記カム誘導路はコードリールに形成され、スライダーはストッパーケースに所定範囲で摺動可能に保持されることを特徴とする。
【００１１】
請求項６記載の発明は、請求項３記載のものにおいて、前記カム誘導路は、アコーディオンドア本体が所定量以上開放方向に操作されるときに、スライダーのカム誘導路での摺動を規制する係止部をさらに有し、前記移行部は、アコーディオンドア本体が所定量以上開放方向に操作されるときに、周回部から係止部へとスライダーを誘導し、アコーディオンドア本体が所定量以上開放方向に操作された後に、弾性体の作用によってアコーディオンドア本体が閉鎖方向に動作すると、スライダーは係止部から前記規制部へと移動し、
前記カムクラッチは、スライダーが係止部にあるときに、スライダーとカム誘導路が一緒に回転することを許容する一方向クラッチ部をさらに有することを特徴とする。
【００１２】
請求項７記載の発明は、請求項６記載のものにおいて、前記カム誘導路は、コードリールと一体回転可能となったカムドラムの周面に形成され、スライダーは、カムドラムの外周側に配設されてカムドラムに対して相対回転自在となったハウジングに所定範囲で摺動可能に保持されており、ハウジングには、前記一方向クラッチ部と係合可能な係合部が形成されることを特徴とする。
【００１３】
請求項８記載の発明は、請求項７記載のものにおいて、前記一方向クラッチ部は、ストッパーケースに揺動可能に軸支されるレバーであり、レバーは、ハウジングがコードリールによるコード巻取方向へ回転するときには、回転を許容するが、ハウジングがコードリールによるコード引出方向へ回転するときには、回転を規制することを特徴とする。
【００１４】
請求項９記載の発明は、請求項８記載のものにおいて、前記係合部は、レバーと係合可能な複数の凹溝であることを特徴とする。
【発明の効果】
【００１５】
本発明によれば、アコーディオンドア本体内でコードリールにコード引き出し規制手段を設けることによってコードリールの引出方向の回転を規制することで、アコーディオンドア本体の弾性体による自動的な閉鎖方向への動作を規制し、アコーディオンドア本体を閉鎖状態と開放状態との間の途中状態で停止させることができるようになる。
【発明を実施するための最良の形態】
【００１６】
以下、図面を用いて本発明の第１実施形態を説明する。図１は本発明のアコーディオンドアを表す全体正面図である。
【００１７】
図において、１０はレールであり、レール１０を走行可能となった複数のランナー１２によって、アコーディオンドア本体１４が吊下げ支持されている。アコーディオンドア本体１４は、左右方向両端部に設けられたフレーム１６、１８と、フレーム１６、１８の間に渡り伸縮可能なヒンジ２０と、ヒンジ２０に連結されてヒンジ２０の前後に配置される布、プラスチックシート、レザー等からなる化粧被覆材２２とから形成される。
【００１８】
ヒンジ２０は、上下方向に適当な間隔で複数設けることができる。最上方に配置されるヒンジ２０の一部詳細図を図２に示す。図に示したように、ヒンジ２０は、一対のほぼ同一長さのヒンジ片２４、２５を互いの中央部で枢軸２６により枢着連結してＸ字状に連結してヒンジ要素２８を形成し、さらに、隣り合うヒンジ要素２８を構成するヒンジ片２４、２５の端部同士を枢軸３０により枢着連結して、複数のヒンジ要素２８を次々と連結していくことによって形成されている。従って、ヒンジ２０は、対向する枢軸２６、２６（枢着連結点）及び対向する枢軸３０、３０（枢着連結点）を４頂点とし、あるヒンジ要素２８を構成するヒンジ片２４、２５のそれぞれ半分と、その隣りのヒンジ要素２８を構成するヒンジ片２５、２４のそれぞれ半分とを４辺とする菱形形状をなした菱形形状部３２が複数連結されたものからなる。この菱形形状部３２の内角が変化して菱形形状部３２が変形することにより、ヒンジ２０が伸縮するようになっている。各菱形形状部３２の辺を構成する、或るヒンジ要素２８の枢軸３０から枢軸２６までを結んだ線と、この枢軸３０から連結された隣りのヒンジ要素２８の枢軸２６までを結んだ線との間でなす内角をヒンジ開き角度θと言うこととする。また、各ヒンジ２０のそれぞれ上下方向に対応するヒンジ要素２８の各枢軸３０は、枢軸３０を上下方向に貫通する線材３６によって連結されており、上下方向の各ヒンジ要素２８は、同調して伸縮するように形成される。
【００１９】
最上方及び最下方に配置されたヒンジ２０の菱形形状部３２には、弾性体である一対の引張バネ３４、３４が設けられている。具体的には、図３に示すように、引張バネ３４が設定される菱形形状部３２において、菱形形状部３２の対向する頂点となる一対の枢軸３０、３０をそれぞれ貫通している線材３６、３６間に、且つ菱形形状部３２の上方と下方に、その菱形形状部３２に対して上下方向に対称的に一対の引張バネ３４、３４が掛け渡されており、取付具３８を介して線材３６に取付けられる。
【００２０】
こうしてヒンジ２０を挟むようにして配置される一対の引張バネ３４、３４によって、常時、菱形形状部３２の対向する頂点となる枢軸３０、３０が互いに接近する方向へと付勢されている。
【００２１】
この引張バネ３４は、すべての菱形形状部３２に設けることもできるが、例えば図１に示した例のように、最上方にあるヒンジ２０の菱形形状部３２と、最下方にあるヒンジ２０の菱形形状部３２とで交互に設けるようにしてもよい。または、適宜間隔毎の菱形形状部３２に設けてもよく、バネ力とアコーディオンドア本体１４の重量とのバランスによって適宜設定することができる。
【００２２】
以上のように構成されるアコーディオンドアにおいて、図２に示す状態は、アコーディオンドア本体１４が開放状態、すなわちヒンジ２０が収縮した状態となっている。このとき、引張バネ３４には引張力が作用しているが、各菱形形状部３２のヒンジ開き角度θが小さく、各菱形形状部３２の２辺を構成するヒンジ片２４、２５は、それぞれ引張バネ３４の引張力の方向とほぼ平行となっており、各ヒンジ片２４、２５に作用する回転モーメントは小さい。
【００２３】
アコーディオンドア本体１４の開放状態から、最初に手動でフレーム１８に取付けられた把手１９を持ってアコーディオンドア本体１４を閉鎖状態へと移動させていくと、ヒンジ２０は、図２の収縮状態から伸張状態へと変化する。これにより、ヒンジ２０の各菱形形状部３２のヒンジ開き角度θが増加する。ヒンジ開き角度θが増加すると、各菱形形状部３２の２辺を構成するヒンジ片２４、２５に作用する引張バネ３４の引張力による回転モーメントが大きくなり、ヒンジ２０を伸張させる推力が働き、手動でフレーム１８を動かさなくとも、自動的にランナー１２がレール１０内を走行することができ、アコーディオンドア本体１４が自動的に閉鎖するようになっている。
【００２４】
逆に、このアコーディオンドア本体１４が閉鎖状態からアコーディオンドア本体１４を開放状態へとする場合には、フレーム１８に取付けられた把手１９を持ってアコーディオンドア本体１４を開放方向へ移動させる。このとき、引張バネ３４の引張力によってヒンジ片２４、２５に作用する回転モーメントに逆らってヒンジ片２４、２５を逆方向へと回転させなければならないが、ある程度、アコーディオンドアが開いて、前記ヒンジ２０の菱形形状部３２のヒンジ開き角度θが小さくなると、回転モーメントが小さくなっていくために、フレーム１８を移動させるための操作力が軽くなり、引張バネ３４による反力の影響を受けずに、軽い力でヒンジ２０を収縮させて、操作することができる。アコーディオンドア本体１４が十分に収縮すると開放状態になる。
【００２５】
アコーディオンドア本体１４内には、アコーディオンドア本体１４を引張バネ３４の付勢力に抗して開放状態または途中状態に保持するためのリールストッパー４０が設けられる。リールストッパー４０は、アコーディオンドア本体１４内で固定側端部となるフレーム１６に固定されるストッパーケース４２を有している。
【００２６】
ストッパーケース４２は、図４に示すようにケース本体４４とケース蓋４５とから構成される。ケース本体４４内には、図５に示すように、円筒形空洞が形成されており、該空洞内には、ケース本体４４と一体に円周状の仕切壁４４ａと該仕切壁４４ａのやや内側に係止部４４ｂとが形成される。
【００２７】
このケース本体４４内の円筒形空洞内には、コードリール４６が回転可能に配置される。コードリール４６には、円周状の巻取部４６ａと、その中心に中心部４６ｂとが一体に形成されており、巻取部４６ａは仕切壁４４ａの外周側に、中心部４６ｂは仕切壁４４ａの内周側に配置される。
【００２８】
巻取部４６ａには、コード５０の一端が固着されて、コード５０は巻取部４６ａに巻取可能となっている。また、コード５０の他端は、ストッパーケース４２外に導出されて、取付具５１を介して可動側端部となるフレーム１８に固着される。
【００２９】
仕切壁４４ａの内周側には付勢手段であるぜんまい４８が配設され、ぜんまい４８の内周端は、コードリール４６の中心部４６ｂに形成されたスリットに挿入されて固定され、ぜんまい４８の外周端は、係止部４４ｂに形成されたスリットに挿入されて固定される。このぜんまい４８の付勢力により、コードリール４６は、コード巻取方向に回転するように常時付勢される。但し、このぜんまい４８による付勢力は、引張ばね３４の付勢力よりは小さい。
【００３０】
さらに、リールストッパー４０には、コード５０のストッパーケース４２からの引き出しを規制するコード引き出し規制手段であるカムクラッチ６０が設けられる。カムクラッチ６０は、図６に示したように、コードリール４６の側面に形成されたカム誘導路６２と、ストッパーケース４２に所定範囲で摺動可能に保持されるスライダー６４とを有している。
【００３１】
詳細には、カム誘導路６２は、コードリール４６の外縁に沿って一周する外周回溝６２ａと、外周回溝６２ａよりも内側を一周する内周回溝６２ｂと、外周回溝６２ａと内周回溝６２ｂとを連結する移行溝６２ｃと、外周回溝６２ａと内周回溝６２ｂとを連結する規制溝６２ｄとを有している。移行溝６２ｃと規制溝６２ｄは周方向に交互に形成される。
【００３２】
スライダー６４は、ストッパーケース４２のケース蓋４５にアコーディオンドア本体の開閉方向と一致した水平方向に形成された溝４５ａにはめ込まれており、溝４５ａを摺動可能であると共に、前記カム誘導路６２の外周回溝６２ａ、内周回溝６２ｂ、移行溝６２ｃ及び規制溝６２ｄを摺動可能となっている。
【００３３】
以上のように構成されるリールストッパー４０において、アコーディオンドア本体１４の状態に対応してそのコード引き出し規制手段であるカムクラッチ６０の順次動作を説明する。
（１）  まず、図７に示すように、アコーディオンドア本体１４が完全に閉鎖状態にあるときには、スライダー６４は、カム誘導路６２の外周回溝６２ａ内に位置している。
【００３４】
（２）  図７の状態から図８に示すようにアコーディオンドア本体１４を開放方向に操作すると、ぜんまい４８によってコード５０がコードリール４６の巻取部４６ａに巻き取られていく。このコードリール４６の回転に伴い、スライダー６４は、相対的にカム誘導路６２の外周回溝６２ａから移行溝６２ｃを通り、内周回溝６２ｂへと移動する。
【００３５】
（３）  図９に示すように、アコーディオンドア本体１４の開放方向の操作量が大きく、所定量以上操作されていると、ぜんまい４８によってコード５０が巻き取られて、コードリール４６の回転に伴って、スライダー６４は、相対的にカム誘導路６２の内周回溝６２ｂに沿って回転を継続する。
【００３６】
（４）  次に、図１０に示すように、アコーディオンドア本体１４の操作をやめて手を離すと、前述の引張バネ３４の付勢力によって、アコーディオンドア本体１４は閉鎖方向に自動的に移動する。よって、コード５０はコードリール４６から引き出され、コードリール４６は反対方向に回転する。このコードリール４６の回転に伴って、スライダー６４が相対的に内周回溝６２ｂから規制溝６２ｄへと移動し、規制溝６２ｄの規制部に係止される。すると、コードリール４６のコード引出方向の回転は規制されるために、アコーディオンドア本体１４はその位置で停止する。こうして、アコーディオンドア本体１４を閉鎖状態と開放状態との間の途中状態で停止させることができる。
【００３７】
（５）  次に、図１０に示す状態から、アコーディオンドア本体１４を小さく、所定量未満開放方向に操作すると、図１１に示すように、スライダー６４が相対的に規制溝６２ｄから外周回溝６２ａに移動する。尚、このときの所定量未満の操作量とは、スライダー６４が規制溝６２ｄから外周回溝６２ａに移動したところから、移行溝６２ｃに入り内周回溝６２ｂに移行する手前の点線の矢印で示した部分の範囲内での操作量に対応する。
【００３８】
（６）  そして、図１１に示す状態から、アコーディオンドア本体１４の操作をやめて手を離すと、図１２に示すように、前述の引張バネ３４の付勢力によって、アコーディオンドア本体１４は閉鎖方向に自動的に移動する。よって、コード５０はコードリール４６から引き出され、このコードリール４６の回転に伴って、スライダー６４が相対的に外周回溝６２ａを移動するので、アコーディオンドア本体１４は動作を規制されることなく、自動的に閉鎖することができる。
【００３９】
（７）  尚、図１０で停止した状態から、アコーディオンドア本体１４を開放したいときには、所定量以上開放方向にアコーディオンドア本体１４を操作すれば、スライダー６４は、規制溝６２ｄから外周回溝６２ａを通過して直ぐに移行溝６２ｃから内周回溝６２ｂに入るので、スライダー６４は、カム誘導路６２の内周回溝６２ｂに沿って回転を継続することができ、アコーディオンドア本体１４を開放することができる。
【００４０】
完全に開放させたところまたは停止したいところで、操作をやめて手を離すと、前述の図１０で示したように、スライダー６４は、内周回溝６２ｂから規制溝６２ｄへと移動して係止されるために、その完全開放状態または途中状態を維持することができる。
【００４１】
こうして、コード引き出し規制手段であるカムクラッチ６０によって、アコーディオンドア本体を閉鎖状態と開放状態との間の途中状態で停止させることができる。また、途中状態で停止させる必要がないときには、引張バネ３４の付勢力によって、アコーディオンドア本体１４を自動的に閉鎖させることができる。
【００４２】
尚、以上の実施形態において、スライダーをコードリール４６またはコードリール４６と一体に回転する部材に保持し、カム誘導路をストッパーケース４２または回転しない非回転部材に形成することも可能である。
【００４３】
次に、図１３〜図１７は、コード引き出し規制手段の別の実施形態を示す図である。この例において、リールストッパー４０のストッパーケース４２、コードリール４６、コード４８の構成はほぼ同一であるため、その説明を省略する。
【００４４】
この例のコード引き出し規制手段であるカムクラッチ７０は、コードリール４６に一体的に且つ同軸的に連結または一体的且つ同軸的に形成されてコードリール４６の回転が伝達するカムドラム７１と、カムドラム７１の外周側に配設されてカムドラム７１に対して相対回転自在となったハウジング７６と、ハウジング７６内に所定範囲で摺動可能に保持されるスライダー７４と、ハウジング７６の外周面に形成される係合部７８と、ストッパーケース４２に軸支されて係合部７８と係合可能な一方向クラッチ部８０と、を備える。
【００４５】
詳細には、カムドラム７１には、そのドラム周面においてカム誘導路７２が形成されており、カム誘導路７２は、カムドラム７１を一周する周回溝７２ａと、周回溝７２ａから分岐された移行溝７２ｂとを有しており、さらに移行溝７２ｂは、互いに反対方向を向いた係止部７２ｃと規制部７２ｄとを有している。
【００４６】
スライダー７４は、カムドラム７１の軸方向に一致してハウジング７６に形成された溝７６ａにはめ込まれており、溝７６ａを摺動可能であると共に、カムドラム７１の周回溝７２ａ、移行溝７２ｂを摺動可能となっている。
【００４７】
一方向クラッチ部８０は、ストッパーケース４２に一端が軸支されて揺動可能となったレバー８２を有しており、レバー８２の先端には爪部８２ａが形成されている。また、係合部７８は、ハウジング７６の外周面に連続的に形成された複数の凹溝となっている。ハウジング７６がコードリール４６のコード引出方向と同じ方向に回転しようとしたときに、レバー８２の爪部８２ａが係合部７８に係合してハウジング７６の回転を規制する一方で、ハウジング７６がコードリール４６のコード巻取方向と同じ方向に回転するときには、係合部７８に係合せずに、係合部７８から外れて、ハウジング７６の回転を許容するようになっている。
【００４８】
以上のように構成されるコード引き出し規制手段であるカムクラッチ７０の動作を、アコーディオンドア本体１４の状態に対応して説明する。
（１）  まず、図１３に示すように、アコーディオンドア本体１４が完全に閉鎖状態にあるときには、スライダー７４は、カムドラム７２の周回溝７２ａ内に位置している。また、一方向クラッチ８０のレバー８２は、係合部７８に係合している。
【００４９】
（２）  図１３の状態から図１４に示すようにアコーディオンドア本体１４を開放方向に操作すると、ぜんまい４８によってコード５０がコードリール４６の巻取部４６ａに巻き取られていく。このコードリール４６の回転に伴い、カムドラム７１が回転して、スライダー７４が相対的に周回溝７２ａから移行溝７２ｂへと移動し、係止部７２ｃへと到達する。すると、スライダー７４は相対的にカムドラム７１に対して移動することができなくなるので、ハウジング７６も一緒に回転を開始する。このとき、一方向クラッチ８０のレバー８２は、係合部７８に係合しないために、ハウジング７６の回転は許容される。
【００５０】
（３）  次に、図１５に示すように、アコーディオンドア本体１４の操作をやめて手を離すと、前述の引張バネ３４の付勢力によって、アコーディオンドア本体１４は閉鎖方向に自動的に移動する。よって、コード５０はコードリール４６から引き出され、コードリール４６は反対方向に回転する。このコードリール４６の回転に伴って、スライダー７４が相対的に係止部７２ｃから規制部７２ｄへと移動する。すると、スライダー７４は相対的にカムドラム７１に対して移動することができなくなるので、ハウジング７６が一緒に回転を開始するが、一方向クラッチ８０のレバー８２が係合部７８に係合するために、ハウジング７６の回転は規制される。これにより、カムドラム７１の回転も規制され、コードリール４６のコード引出方向の回転は規制されるために、アコーディオンドア本体１４はその位置で停止する。こうして、アコーディオンドア本体１４を閉鎖状態と開放状態との間の途中状態で停止させることができる。
【００５１】
（４）  次に、図１５に示す状態から、図１６に示すように、アコーディオンドア本体１４を小さく、所定量未満開放方向に操作すると、スライダー７４が相対的に規制部７２ｄから周回溝７２ａへと移動する。尚、このときの所定量未満の操作量とは、スライダー７４が規制部７２ｄから周回溝７２ａに移動したところから、移行溝７２ｂに入り係止部７２ｃへと達する手前の点線の矢印で示した部分の範囲内での操作量に対応する。
【００５２】
（５）  そして、図１６に示す状態から、図１７に示すように、アコーディオンドア本体１４の操作をやめて手を離すと、前述の引張バネ３４の付勢力によって、アコーディオンドア本体１４は閉鎖方向に自動的に移動する。よって、コード５０はコードリール４６から引き出され、このコードリール４６の回転に伴って、スライダー７４が相対的に周回溝７２ａを移動するので、アコーディオンドア本体１４は動作を規制されることなく、自動的に閉鎖することができる。
【００５３】
（６）  尚、図１５で停止した状態から、アコーディオンドア本体１４を開放したいときには、所定量以上開放方向にアコーディオンドア本体１４を操作すれば、スライダー７４は、規制部７２ｄから周回溝７２ａを通過してまた移行溝７２ｂから係止部７２ｃに入り、ハウジング７６も一緒に回転して、回転を継続することができ、アコーディオンドア本体１４を開放することができる。
【００５４】
完全に開放させたところまたは停止したいところで、操作をやめて手を離すと、前述の図１５で示したように、スライダー７４は、係止部７２ｃから規制部７２ｄへと移動して係止されるために、その開放状態または途中状態を維持することができる。
【００５５】
こうして、コード引き出し規制手段であるカムクラッチ７０によって、アコーディオンドア本体を閉鎖状態と開放状態との間の途中状態で停止させることができる。また、途中状態で停止させる必要がないときには、引張バネ３４の付勢力によって、アコーディオンドア本体１４を自動的に閉鎖させることができる。
【００５６】
尚、以上の実施形態において、スライダーをコードリール４６またはコードリール４６と一体に回転する部材に保持し、カム誘導路をハウジングに形成することも可能である。
【００５７】
また、以上の各実施形態において、コード引き出し規制手段は、図示した具体例に限らず任意の構成とすることが可能である。
【図面の簡単な説明】
【００５８】
【図１】本発明のアコーディオンドアを表す全体正面図である。
【図２】ヒンジの一部詳細図を示す平面図である。
【図３】本発明のアコーディオンドアの最上方のヒンジ付近の斜視図である。
【図４】リールストッパーのストッパーケースの斜視図である。
【図５】リールストッパーの裏面側から見た内部構造を示す断面図である。
【図６】リールストッパーの内部構造を示す斜視図であり、コード引き出し規制手段であるカムクラッチを示す。
【図７】アコーディオンドア本体が完全に閉鎖状態にあるときのコード引き出し規制手段の動作とアコーディオンドア本体との関係を示す説明図である。
【図８】図７の状態からアコーディオンドア本体が開放方向に操作を開始したときのコード引き出し規制手段の動作とアコーディオンドア本体との関係を示す説明図である。
【図９】アコーディオンドア本体を開放方向に大きく操作しているときのコード引き出し規制手段の動作とアコーディオンドア本体との関係を示す説明図である。
【図１０】図９に示す状態からアコーディオンドア本体の操作をやめて手を離したときのコード引き出し規制手段の動作とアコーディオンドア本体との関係を示す説明図である。
【図１１】アコーディオンドア本体が停止している状態からアコーディオンドア本体を開放方向に小さく操作したときのコード引き出し規制手段の動作とアコーディオンドア本体との関係を示す説明図である。
【図１２】図１１に示す状態からアコーディオンドア本体の操作をやめて手を離したときのコード引き出し規制手段の動作とアコーディオンドア本体との関係を示す説明図である。
【図１３】本発明のコード引き出し規制手段の別の実施形態を示す図であり、アコーディオンドア本体が完全に閉鎖状態にあるときのコード引き出し規制手段の動作とアコーディオンドア本体との関係を示す説明図である。
【図１４】図１３の状態からアコーディオンドア本体を開放方向に操作を開始したときのコード引き出し規制手段の動作とアコーディオンドア本体との関係を示す説明図である。
【図１５】図１４に示す状態からアコーディオンドア本体の操作をやめて手を離したときのコード引き出し規制手段の動作とアコーディオンドア本体との関係を示す説明図である。
【図１６】図１５に示す状態からアコーディオンドア本体を開放方向に小さく操作したときのコード引き出し規制手段の動作とアコーディオンドア本体との関係を示す説明図である。
【図１７】図１６に示す状態から、アコーディオンドア本体１４の操作をやめて手を離したときのコード引き出し規制手段の動作とアコーディオンドア本体との関係を示す説明図である。
【符号の説明】
【００５９】
１０  レール
１２  ランナー
１４  アコーディオンドア本体
１８  フレーム（可動側端部）
２０  ヒンジ
２２  化粧被覆材
３４  引張ばね（弾性体）
４０  リールストッパー
４２  ストッパーケース
４６  コードリール
４８  ぜんまい（付勢手段）
５０  コード
６０、７０  カムクラッチ（コード引き出し規制手段）
６２、７２  カム誘導路
６４、７４  スライダー
７１  カムドラム
６２ａ  外周回溝
６２ｂ  内周回溝
６２ｃ  移行溝
６２ｄ  規制溝
７２ａ  周回溝
７２ｂ  移行溝
７２ｃ  係止部
７２ｄ  規制部
７６  ハウジング
７８  係合部
８０  一方向クラッチ部
８２  レバー
【図１】
2010019034.tif 000003
【図２】
2010019034.tif 000004
【図３】
2010019034.tif 000005
【図４】
2010019034.tif 000006
【図５】
2010019034.tif 000007
【図６】
2010019034.tif 000008
【図７】
2010019034.tif 000009
【図８】
2010019034.tif 000010
【図９】
2010019034.tif 000011
【図１０】
2010019034.tif 000012
【図１１】
2010019034.tif 000013
【図１２】
2010019034.tif 000014
【図１３】
2010019034.tif 000015
【図１４】
2010019034.tif 000016
【図１５】
2010019034.tif 000017
【図１６】
2010019034.tif 000018
【図１７】
2010019034.tif 000019